(57)【特許請求の範囲】
【請求項１】
所定長さのダクトが直列方向に複数連設された空調または換気用ダクト設備を対象として、これらの既設ダクトを新設ダクトに交換するためのダクト取替方法であって、
ダクト取替区間の両端部に配置されているそれぞれの既設ダクトを撤去する第１工程と、
長手方向に伸縮自在のフレキシブルダクトを用い、これを撤去されていない中間の既設ダクトを挿通し配設するとともに、このフレキシブルダクトの両端口をそれぞれ既設ダクトの端部口に接続させる第２工程と、
前記中間の既設ダクトをすべて撤去する第３工程と、
ダクト取替区間の両端部に配置される新設ダクトを除き、ダクト取替区間の中間部分に前記フレキシブルダクトを囲繞しながら新設ダクトを設置する第４工程と、
前記フレキシブルダクトを撤去するとともに、ダクト取替区間の両端部にそれぞれ新設ダクトを挿入設置する第５工程とからなることを特徴とするダクト取替方法。
【請求項２】
少なくとも前記ダクト取替区間の中間に配置される新設ダクトは、風路方向に沿って分割可能な組立ダクトを用いている請求項１に記載のダクト取替方法。
【発明の詳細な説明】
【０００１】
【発明の属する技術分野】
本発明は、老朽化した空調または換気用ダクトを新設ダクトに交換するに当たり、空調・換気機能の停止期間を最小限とし得るダクト取替方法に関する。
【０００２】
【従来の技術】
建屋内に設備された空調・換気設備もその後の老朽化に伴ってダクトの補修あるいは交換が必要となってくる。従来よりダクトの管理方法としては、短期的には損傷箇所のみを対象としてダクト外面に当板を取り付けるなどの応急的処理が採られ、また長期的には空調系の健全性を再度回復させるために既設ダクトを新設ダクトに取替えする方法が採られる。
【０００３】
前者は空調機能を停止させることなく補修が可能であるが、あくまでも一時的な処置に過ぎず、他方、後者の方法は根本的な対策となり得るが少なくともダクト交換の作業中は空調機能の全停止が必要とされる。
【０００４】
従来より、空調・換気機能の停止が許される条件の下では、既設ダクトをすべて撤去した後、新規にダクトを取り付ける方法が工費的に最も安価となるため多用されているが、たとえば原子力発電所におけるダクト修復などのように、空調・換気機能の停止が厳しく制限されるような場合には、停止時間を極力短くするためにダクトを単位ダクト毎に順に段階的に交換していく方法（以下、段階的ダクト取替方法という。）が採用されている。
【０００５】
【発明が解決しようとする課題】
しかしながら、この段階的ダクト取替方法の場合であっても単位ダクトの本数回分の空調全停止を必要とするとともに、単位ダクトの交換に際しても既設ダクトの撤去と新設ダクトの取付けに要する工事時間帯は、空調または換気が完全に停止することになるため、建屋内の環境が一時的であっても悪化するなどの問題が発生している。さらに、単位ダクトの交換が所定のサイクル毎に繰り返されることになるため、工事期間中の間、たとえスポット的であっても空調停止が頻繁に発生することとなり、他に及ぼす影響が大きいなどの問題がある。
【０００６】
そこで本発明の主たる課題は、前述した従来の段階的ダクト取替方法よりもさらに空調・換気機能の停止回数およびその停止時間を少なくし、建屋内の環境悪化を極力防止するとともに、他に与える影響を最小限とし得るダクト取替方法を提供することにある。
【０００７】
【課題を解決するための手段】
前記課題を解決するために本発明は、所定長さのダクトが直列方向に複数連設された空調または換気用ダクト設備を対象として、これらの既設ダクトを新設ダクトに交換するためのダクト取替方法であって、
ダクト取替区間の両端部に配置されているそれぞれの既設ダクトを撤去する第１工程と、
長手方向に伸縮自在のフレキシブルダクトを用い、これを撤去されていない中間の既設ダクトを挿通し配設するとともに、このフレキシブルダクトの両端口をそれぞれ既設ダクトの端部口に接続させる第２工程と、
前記中間の既設ダクトをすべて撤去する第３工程と、
ダクト取替区間の両端部に配置される新設ダクトを除き、ダクト取替区間の中間部分に前記フレキシブルダクトを囲繞しながら新設ダクトを設置する第４工程と、
前記フレキシブルダクトを撤去するとともに、ダクト取替区間の両端部にそれぞれ新設ダクトを挿入設置する第５工程とからなることを特徴とするものである。
この場合において、少なくとも前記ダクト取替区間の中間に配置される新設ダクトは、風路方向に沿って分割可能な組立ダクトを用いるのが望ましい。
【０００８】
本発明においては、一時的な仮設用ダクトとしてフレキシブルダクトを用い、ダクト取替区間に対してフレキシブルダクトを中間既設ダクトを残したまま設置し、暫定的にこのフレキシブルダクトによって空調または換気系統の稼働を確保するようにしている。本方法によるダクト取替方法によれば、連設されたダクト本数に拘わらず、ダクト取替区間の両側に配置されている端部ダクトの撤去開始からフレキシブルダクト取付け終了までの間（１回目の停止）と、フレキシブルダクトの撤去開始から端部新設ダクトの取付け終了までの間（２回目の停止）の計２回の停止のみでダクトの交換が可能となる。
【０００９】
【発明の実施の形態】
以下、本発明の実施の形態を図面に基づいて詳述する。
図１〜図５は本発明に係る空調用ダクト取替方法の施工手順図である。
【００１０】
本実施の形態では、排風機１の吹出し口に対して所定長さのダクト２〜８、…が直列的に複数連設された空調用ダクト設備において、既設ダクト３〜７の区間を取替対象区間とし新設ダクトに交換する場合について詳述することとする。なお、９は各既設ダクト２〜８、…の両端部をそれぞれ天井側から吊り状態で支持している吊り材である。
【００１１】
これら既設ダクト３〜７を新設ダクトに交換するにあたっては、先ず図１に示されるように、関連する空調系統をすべて全停止とした後、ダクト取替区間Ｓの両側に配置されている端部既設ダクト３，７を撤去する。
【００１２】
次いで、これら撤去された端部既設ダクト３，７の一方側の空間を利用して収縮状態にあるフレキシブルダクト１０を該空間に持ち込み、他方端側を伸張し、未だ撤去されていない中間既設ダクト４〜６の内部を挿通させる。そして、その一方端側を既設ダクト２の端部口２ａに接続するとともに、他方端側を既設ダクト８の端部口８ａに接続させる。このフレキシブルダクト１０の接続が完了した段階で、空調系統の運転を再開する。ここで、ダクト取替区間Ｓにおいて、両端部の既設ダクト３，７のみを撤去するのは、フレキシブルダクト１０を既設ダクト４〜６に挿通するため最小限の空間が確保できれば十分であることと、既設ダクト２，８に対する接続作業のためである。また、端部既設ダクト３，７の撤去開始からフレキシブルダクト１０の取付け完了までの時間、すなわち空調設備の運転停止時間を極力少なくするためである。なお、前記フレキシブルダクト１０の設置態様としては、残置されている既設ダクト４〜６を挿通させることなく、その外側にバイパス路的に設けるようにしてもよい。
【００１３】
前記フレキシブルダクト１０は、図６に示されるように、たとえばキャンバス布、ナイロン布、ポリエステル布、ポリエステルを基布とし塩化ビニルフィルムを両面に貼り付けた風管用シート布、またはガラスクロス、カーボンクロスなどの適宜のシート素材を用い、これを筒状に縫製加工するとともに、形状保持と補強のために長手方向に所定の間隔をおいて外周を巡る環状鋼材１１，１１…を多数配設した蛇腹構造の、すなわち長手方向に伸縮自在のダクト体であり、両端側にはそれぞれ取替対象外の既設ダクト２，８に対して簡単にかつ短時間で接続できるようにターンバックル式留め具１８，１８…を多数備えた端部リング１６が設けられている。
【００１４】
本例では、フレキシブルダクト１０の設置後に中間の既設ダクト３〜５を、内部にフレキシブルダクト１０が存在する状態のまま、ガス切断によって分割撤去することを計画しているため、特に難燃性の素材が好適に用いられる。したがって具体的には、コスト等に配慮した上で前記ガラスクロスに対してアルミを貼付けたものが用いられている。
【００１５】
また、本形態例では原子力発電所における排風ダクトを施工対象として想定しており、各既設ダクト２〜８、…の縦および横寸法がそれぞれ約３ｍを超えることから、搬入およびその取り扱いが容易となるように細部に種々の工夫が成されている。
【００１６】
先ず、本フレキシブルダクト１０の第１の特徴は、間口が２ｍほどの扉口から大掛かりな搬入用設備を使用することなく簡単に搬入ができるように、フレキシブルダクト１０を長手方向に複数に分割し、ファスナー１３，１３…によって接続するようにしている点と、環状鋼材１１を上下半分づつに分割できるようにした点が挙げられる。具体的には、図７に示されるように、ダクト分割体１０Ａの両開口部のそれぞれにおいて、周縁に沿ってファスナー１３、１３を縫い付け、個別に搬入された前記ダクト分割体１０Ａ，１０Ａ…を施工現場において簡単に接続できるようにしている。
【００１７】
また、フレキシブルダクト１０の外面に対しては、図８に示されるように、周方向に亘って袋状部が形成されるように弛みを持たせながら短冊状の当て布１４を縫い付け、この当て布１４の袋状部に前記環状鋼材１１が内挿されている。前記当て布１４はダクト外面の両側部におい不連続とされ、袋状部が外部に開放されており、一方、環状鋼材１１としては上下２分割された半円弧状の弧状棒材１１Ａ、１１Ｂが用いられ、図９に示されるように、下側の弧状棒材１１Ａの両端部にはそれぞれユニオン１５、１５が固定されているとともに、上側の弧状棒材１１Ｂの両端部には前記ユニオン１５に対して接続可能なようにネジ溝が形成されている。施工現場への搬入に当たっては、前記下側弧状棒材１１Ａと上側弧状棒材１１Ｂとを切り離しておき、ダクト分割体１０Ａを収縮させた状態で水平中心線を境に２つ折りに畳んで搬入し、現場において下側弧状棒材１１Ａと上側弧状棒材１１Ｂとが前記ユニオン１５、１５によって接続される。
【００１８】
次いで、第２の特徴は、図１０に示されるように、端部リング１６を扉口から現場に搬入できるように、両側部にそれぞれヒンジ１９，１９を設けて、折り畳み可能としている点と、接続作業を効率化するために、図１１に示されるように、端部リング１６の上部に対して断面コ字状の掛け金１７を固設するとともに、周方向に適宜の間隔でターンバックル式留め具１８を付設した構造としてある点である。連結作業に当たっては、上部の掛け金１７を既設ダクト２（８）の上部に対し引っ掛けて自重を預けた状態で、周囲のターンバックル式留め具１８，１８…によって堅固に連結できるため、連結作業が簡易にかつ安全に行えるようになっている。
【００１９】
前記フレキシブルダクト１０の取付けが完了し、空調設備の運転を再開したならば、次に中間既設ダクト４〜６の撤去作業に入る。撤去作業は、各既設ダクト４〜６の側部をそれぞれガストーチを用いて切断し、上下に分割して撤去する。この際、炎によってフレキシブルダクト１０が焼損しないように、フレキシブルダクト１０の溶断部外面に対し一時的にセラミックシートなどの防炎シートを被せた状態で切断作業を行うようにするのがよい。
【００２０】
上記中間既設ダクト４〜６の撤去作業が終わり、ダクト取替範囲Ｓ内におけるすべての既設ダクト３〜７の撤去が完了したならば、次に新設ダクトの取付け作業に入る。
【００２１】
新設ダクトの取付けに当たっては、すべての新設ダクトを一気に取り付けるのではなく、先ず最初は、図４に示されるように、ダクト取替区間Ｓの両側に配置される端部新設ダクト２３，２４を除き、中間の新設ダクト２０〜２２のみを設置する。中間新設ダクト２０〜２２としては、予め上下２分割構造の組立ダクトが用いられ、上側分割片２０Ａ，２１Ａ…と下側分割片２０Ｂ，２１Ｂ…とを上下方向からフレキシブルダクト１０を挟み込むようにして組み付け、側部フランジ同士をボルト等で連結し、天井側に支持された吊り材または床側に設置された支持架台によって支持させるようにする。なお、前記組立ダクト２０〜２２の分割位置は前記両側部以外に上下位置にて分割可能とすることでもよい。
【００２２】
中間新設ダクト２０〜２２の取付けが完了した時点で、再び空調系統の運転を全停止とし、フレキシブルダクト１０を撤去するとともに、ダクト取替区間Ｓの両端部にそれぞれ端部新設ダクト２３，２４を挿入し、両端部をそれぞれ隣接する既設ダクト２（８）と、新設ダクト２２（２０）とに連結し、これらの端部新設ダクト２３，２４を吊り材または支持架台に支持し、ダクトの取替作業を完了する。
【００２３】
【発明の効果】
以上詳説のとおり、本発明によれば、従来より最良とされていた段階的ダクト取替方法よりもさらに空調・換気機能の停止回数およびその停止時間を少なくできるようになり、もって建屋内の環境悪化を極力防止できるようになるとともに、他に与える影響も最小限で済むようになる。
【図面の簡単な説明】
【図１】  本発明に係る空調用ダクトの取替方法の第１工程図である。
【図２】  本発明に係る空調用ダクトの取替方法の第２工程図である。
【図３】  本発明に係る空調用ダクトの取替方法の第３工程図である。
【図４】  本発明に係る空調用ダクトの取替方法の第４工程図である。
【図５】  本発明に係る空調用ダクトの取替方法の第５工程図である。
【図６】  本例で用いたフレキシブルダクト１０の設置状態側面図である。
【図７】  フレキシブルダクト分割体１０Ａの側面図（上部側は断面図）である。
【図８】  図７のＡ部拡大図である。
【図９】  図７のＢ部拡大図である。
【図１０】  端部リング１６の折り畳み要領図である。
【図１１】  端部リング１６に固設された掛け金１７部の拡大図である。
【図１２】  端部リング１６に固設されたターンバックル式留め具１８の拡大図である。
【符号の説明】
１…排風機、２・８…端部既設ダクト、３〜７…中間既設ダクト、９…吊り材、１０…フレキシブルダクト、１１…環状鋼材、１１Ａ…下側弧状棒材、１１Ｂ…上側弧状棒材、１３…ファスナー、１７…掛け金、１８…ターンバックル式留め具、１９…ヒンジ、２０〜２２…中間新設ダクト、２３・２４…端部新設ダクト
【図１】
0003916186.tif 000002
【図２】
0003916186.tif 000003
【図３】
0003916186.tif 000004
【図４】
0003916186.tif 000005
【図５】
0003916186.tif 000006
【図６】
0003916186.tif 000007
【図７】
0003916186.tif 000008
【図８】
0003916186.tif 000009
【図９】
0003916186.tif 000010
【図１０】
0003916186.tif 000011
【図１１】
0003916186.tif 000012
【図１２】
0003916186.tif 000013